(57)【要約】用紙または印刷物の片面と反対面のそれぞれからスレッドのマイクロ文字を観察しようとしたときに、互いに逆向きではなくいずれの面からでも同じ向きにマイクロ文字の像を視認できること、また、反対面から観察すると該当すべきそのマイクロ文字の像が視認できないことを満足するスレッドと偽造防止用紙の提供にある。短冊形で且つ光透過性を持つ基材２の両面に、マイクロ文字でなるパターン状に形成された金属蒸着層３、４とそれぞれの上に着色された樹脂印刷層７、８を備えたスレッド１を紙層１５ａ、１５ｂ間に抄き込んだ偽造防止用紙１０および偽造防止印刷物である。【特許請求の範囲】
【請求項１】
表裏の面をもつ糸状物であり且つ光透過性を持つ基材の片側の面に、少なくとも、文字または模様のいずれか片方または両方によるパターン状に形成された１以上の金属薄膜層、及び、該金属薄膜層のそれぞれの上にそれぞれの金属薄膜層と同じパターン状に形成され且つ着色された着色樹脂層を備え、
該金属薄膜層が有る領域と、該金属薄膜層が無い領域との光透過性の違いによって、光に翳したときに前者の領域と後者の領域とでコントラストが生じること、
且つ、該基材の、該金属薄膜層および着色樹脂層が備わった側から観察すると、該パターン状の着色樹脂層を視認できること、
を特徴とするスレッド。
【請求項２】
更に、前記基材の反対側の面に、少なくとも、文字または模様の片方または両方によるパターン状に形成された１以上の金属薄膜層、及び、該金属薄膜層のそれぞれの上にそれぞれの金属薄膜層と同じパターン状に形成され且つ着色された着色樹脂層を備え、
該金属薄膜層が有る領域と、該金属薄膜層が無い領域との光透過性の違いによって、光に翳したときに前者と後者との間でコントラストが生じること、
且つ、該基材の、該金属薄膜層および着色樹脂層が備わった側から観察すると、該着色樹脂層を該パターン状に視認できること、
を特徴とする請求項１に記載のスレッド。
【請求項３】
前記基材の面の片側と反対側との間で、前記パターンが同様であることを特徴とする請求項２に記載のスレッド。
【請求項４】
前記基材の面の片側と反対側との間で、前記パターンが異なることを特徴とする請求項２に記載のスレッド。
【請求項５】
前記基材の片側の面に形成された前記金属薄膜層と、反対側の面に形成された前記金属薄膜層とは、パターン、大きさ、配置、又は、向きのいずれかが相違していることを特徴とする請求項２に記載のスレッド。
【請求項６】
前記基材の面の少なくとも片側で、前記着色が同一色であることを特徴とする請求項２に記載のスレッド。
【請求項７】
前記基材の面の少なくとも片側で、前記着色がパターンによって異なることを特徴とする請求項２に記載のスレッド。
【請求項８】
前記基材の面の片側と反対側の両方とも、前記着色が同一色であることを特徴とする請求項２に記載のスレッド。
【請求項９】
前記基材の面の片側と反対側で互いに、前記着色がパターンによって異なることを特徴とする請求項２に記載のスレッド。
【請求項１０】
前記の同様のパターン状に形成された前記金属薄膜層とそれに対応する着色樹脂層が１組以上あり、前記基材上にパターンが１列以上並ぶように設けてあることを特徴とする請求項２に記載のスレッド。
【請求項１１】
前記文字または模様によるパターンが、前記基材の、それに対応する前記金属薄膜層とそれに対応する着色樹脂層が設けてある側から観察した場合の正向きで設けてあることを特徴とする請求項２に記載のスレッド。
【請求項１２】
前記文字または模様によるパターンが、前記基材の、それに対応する前記金属薄膜層とそれに対応する着色樹脂層が設けてある側から観察した場合の左右又は上下が逆向きで設けてあることを特徴とする請求項２に記載のスレッド。
【請求項１３】
ウェブ状で且つ光透過性を持つ基材の面に、金属の薄膜を成膜することにより前記金属薄膜層を設け、
該金属薄膜層の上に前記着色樹脂層を印刷法によって所望のパターン状に形成し、
該パターン状の着色樹脂層を耐エッチング用のマスクとして該金属薄膜層をエッチングすることにより、該金属薄膜層と着色樹脂層とが同様のパターン状を成して重なるように形成し、
その後、該基材をスレッドの幅になるように切断すること、
を特徴とする請求項２に記載のスレッドの製造方法。
【請求項１４】
短冊形で光透過性を持つ基材の面に、金属の薄膜を成膜することにより前記金属薄膜層を設け、
該金属薄膜層の上に前記着色樹脂層を印刷法によって所望のパターン状に形成し、
その後、該パターン状の着色樹脂層を耐エッチング用のマスクとして該金属薄膜層をエッチングすることにより、該金属薄膜層と着色樹脂層とが同様のパターン状を成して重なるように形成すること、
を特徴とする請求項２に記載のスレッドの製造方法。
【請求項１５】
請求項２に記載のスレッドが、用紙となる紙の中に抄き込まれていることを特徴とする偽造防止用紙。
【請求項１６】
請求項２に記載のスレッドが、紙の表面には露出しないように紙に抄き込まれており、
且つ、前記スレッドの前記着色樹脂層がある側の該紙の面を反射光で観察したとき、該着色樹脂層を前記パターン状に視認できること、を特徴とする偽造防止用紙。
【請求項１７】
請求項１５に記載の偽造防止用紙に、偽造防止印刷物としての印刷を施した印刷部が設けてあることを特徴とする偽造防止印刷物。
【請求項１８】
請求項１５に記載の偽造防止用紙の真贋を判定する方法であって、
（ａ）反射光で前記着色樹脂層を前記パターン状に視認できたとき、その反対側の面から反射光で観察すると、該視認できた着色樹脂層の左右または上下が逆向きのパターンは視認し難いこと、
（ｂ）これを光に翳して透過光で観察したときは、前記視認できた着色樹脂層のパターンが影となって視認できること、
これら（ａ）及び（ｂ）を確認できるか否かに基づいて判定すること、を特徴とする偽造防止用紙の真贋判定方法。
【請求項１９】
請求項１７に記載の偽造防止印刷物の真贋を判定する方法であって、
（ｃ）反射光で前記着色樹脂層を前記パターン状に視認できたとき、その反対側の面から反射光で観察すると、該視認できた着色樹脂層の左右または上下が逆向きのパターンは視認し難いこと、
（ｄ）これを光に翳して透過光で観察したときは、前記視認できた着色樹脂層のパターンが影となって視認できること、
これら（ｃ）及び（ｄ）を確認できるか否かに基づいて判定すること、を特徴とする偽造防止印刷物の真贋判定方法。
【発明の詳細な説明】
【技術分野】
【０００１】  本発明は、偽造防止が要望される分野に好適なスレッド（ストリップ、フィラメント、糸状物、安全帯片、等とも称される）とその製造方法、そのスレッドを抄き込んだスレッド入り紙でなる偽造防止用紙、及びそれらを利用した有価証券類、紙幣類等の偽造防止印刷物、並びにそれら偽造防止用紙や偽造防止印刷物の真贋判定方法に関する。【０００２】  また、スレッドについては、偽造防止対策の分野以外で美的デザインにも有効で、例えば服飾等の分野で装飾性に優れた製品を提供する場合にも好適である。本発明に関るスレッドは特に、金属薄膜の層が、所望する文字または模様に応じてパターニングされており、上記分野で好適な効果につながる重要な要素の一つになっている。偽造防止性能を考慮して、一般に、この文字は非常に小さなもの（いわゆるマイクロ文字）が採用され易い。本発明では、特に断りの無い限り、単に文字のみならずここで云う模様のことも含めてマイクロ文字と総称する。尚、金属薄膜層の代表的なパターニング手法は、いわゆるデメタライジング加工である。
【背景技術】
【０００３】  紙層内に糸状物を抄き込んだ「スレッド入り紙」と呼ばれる偽造防止用紙はよく知られている。そのスレッド入り紙は製造に極めて高度な技術を必要とするので偽造防止に大きな効果があり、周知のように各国の紙幣などに多く使用されている。【０００４】  上記スレッド入り紙には大きく分けて２種類あり、その一つはスレッドが用紙内部に抄き込まれ、用紙表面に露出しない種類のものであり、もう一つはスレッドの一部が用紙表面に間欠的に露出した「窓空きスレッド入り紙」と呼ばれるものである。【０００５】  前者の表面に露出しない用紙を製造する方法としては、長網抄紙機のスライス部分における紙料の流れの中にノズルを入れ、ノズルに水を流しながらスレッドを繰り出し、抄紙網に形成される紙匹中にスレッドを抄き込む方法（例えば、特許文献１参照）や、長網抄紙機のフローボックスから流出する紙料へスレッドの挿入装置を設置し、空気流でスレッドと紙料を非接触状態としながらスレッドを抄き込む方法（例えば、特許文献２参照）、あるいは２層以上を有した円網抄紙機を使用し、２層以上の抄き合わせで、内壁に凹凸を設けた送管を使用してスレッドを紙層間に送り出し、紙層間にスレッドを抄き込む方法（例えば、特許文献３参照）などが提案されている。【０００６】  また、後者の「窓空きスレッド入り紙」を製造する方法としては、ワイヤー上の紙料懸濁液に、凹凸部を有するガイドの凸部先端にスレッドを通した溝を有するベルト機構を埋没して製造する方法（例えば、特許文献４参照）や、凹凸状に加工した網を円網抄紙機の上網に使用し、スレッドを網表面の凹凸部に接触させながら挿入して窓空き部分にスレッドを抄き込む方法（例えば、特許文献５参照）や、長網抄紙機のワイヤー上の回転ドラム内に圧縮空気ノズルを内蔵させ、予め紙匹に挿入したスレッド上のスラリーを圧縮空気で間欠的に吹き飛ばしてスレッドを露出させる方法（例えば、特許文献６参照）などが提案されている。【０００７】  上記「窓空きスレッド入り紙」は、用紙の流れ方向に間欠的に厚みを薄くした窓空き部を形成し、この窓空き部にスレッドが露出していることが特徴である。従って、表面に接着剤を塗工していないスレッドを使用して製造した用紙では、スレッドの露出部を爪などでこするとスレッドが簡単に剥がれてしまったり、印刷時にスレッドが浮き上がったりするので致命的な欠点となる。このため表面に感熱接着剤を設けたスレッドを使用して窓空きスレッド入り紙を抄紙し、抄紙機の乾燥ゾーンでこの用紙を乾燥する際にスレッドに塗工されている感熱接着剤を溶融若しくは軟化することによって、用紙を構成するセルロース繊維とスレッドとを確実に接着させ、剥離強度を高める対策がとられている。【０００８】  上記スレッド入り紙に使用するスレッドにも多種多様な構成が提案されている。例えば、ホログラムスレッド、磁気スレッド、紫外線の照射で蛍光発色するスレッド、サーモクロミック剤を塗工したスレッド、金属蒸着スレッド、マイクロ文字入りスレッド等々が実用化されている。【０００９】  そのうちのマイクロ文字入りスレッドは、プラスチックフィルムに直接箔押しする方法や、真空蒸着装置においてマスク若しくはテンプレートを使用���る選択的金属化をする方法、金属化と腐食により非金属化する方法（パスター加工、或いはデメタライジング加工と呼ばれるが、この方法ついては後述する）で製造することが知られている（例えば、特許文献７参照）。【００１０】  上記「デメタライジング加工」によりマイクロ文字を形成したスレッドは外国紙幣に多く使用されている。例えば現在の米国のドル紙幣やヨーロッパのユーロ紙幣などではスレッドが紙層間に埋没する構成の用紙が、ユーロ紙幣に移行する前のドイツの１００マルク紙幣などではスレッドが窓部に間欠的に露出する構成の用紙が採用されている。これらスレッドに形成されたマイクロ文字は、文字本来の見方で言えば正しい向きの「正文字」と上下反転の「逆文字」が交互に位置するようになっている（本発明では、特に断りが無ければ、左右が逆向きである）。【００１１】  このことは、用紙を抄造するときにスレッドが反転しても良いような設計になっていることを意味している。別の言い方をすると、スレッドには表裏の区別をしていないことを意味している。【００１２】  また、マイクロ文字は文字を形成する部分が金属蒸着層の場合（前記米国ドル紙幣等）と、マイクロ文字を形成する部分が抜き文字になっている場合（前記ドイツ１００マルク紙幣等）がある。別の言い方をすると、マイクロ文字には「ポジ型」或いは「ネガ型」があることとなる。【００１３】  また、スレッドの表裏を区別して用紙に抄き込んだ偽造防止用紙の提案があり、この提案は、用紙の流れ方向にスレッドを抄き込んだ偽造防止用紙において、前記スレッドは、ベースとなるフィルムと、前記フィルムの表面に形成された金属蒸着層からなる正文字のみのマイクロ文字と、前記金属蒸着層の上に形成された透明インクによる印刷層と、前記フィルムの裏面に形成された感熱接着剤層とからなり、前記印刷層を形成するインクには紫外線の照射で発色する染顔料が添加されており、用紙の表側から見た場合に、正文字のマイクロ文字が見えるように前記スレッドが用紙に抄き込んでいることを要旨とする偽造防止用紙であり、このスレッドをかような構成にすることで、スレッドに紫外線を照射したときにスレッドの印刷層が発色して見えるか否かを判定することにより、スレッドの表裏面の識別が簡単にできるという効果が得られる。この特許において金属蒸着層からなるマイクロ文字は、いわゆる「デメタライジング加工」で得られることが述べられている（例えば、特許文献８参照）。【００１４】  以下に、上記先行技術文献を示す。
【特許文献１】特開昭５１−１３０３０９号公報
【特許文献２】特開平２−１６９７９０号公報
【特許文献３】特公平５−４００８０号公報
【特許文献４】特公平５−８５６８０号公報
【特許文献５】米国特許第４４６２８６６号公報
【特許文献６】特開平６−２７２２００号公報
【特許文献７】特公平６−０６２０３０号公報（５欄４６行〜６欄３行、７欄２６行〜８欄１２行）
【特許文献８】特許第３２７９２１２号公報
【発明の開示】
【００１５】  上記特許文献８に提案されたスレッドは、用紙に抄き込まれた際に、用紙のオモテ面から観察した時にスレッドのオモテ面側のマイクロ文字の像が観察されるだけで、用紙の裏面から観察した時にはスレッドに形成されたマイクロ文字は、普通、左右か又は上下が逆になった「逆向き」として観察されることとなる。かような構成のスレッドは、商品券や株券のような場合には一般に、商品価値を特別に低下させる要因になるとは必ずしも限らない。しかしながら、社会や市場（客）のニーズによっては、用紙または印刷物の表裏を同じように使用することが求められる場合、例えばパスポートの本文用紙等のような場合であれば、スレッドのマイクロ文字の像が、用紙のオモテ面と裏面のそれぞれから観察した時にいずれも同じ向き（オモテ面からでも裏面からでも同じ正向き、又は、オモテ面からでも裏面からでも同じ逆向き）に視認できた方が好ましい、とされる場合も大いにありえる。
【００１６】  また、社会や市場（客）のニーズによっては、オモテ面から視認できたスレッドのマイクロ文字の像が、裏面からは視認できない（又は視認し難い）ようにしたい、と云う場合も大いにありえる。これは当然何か見えるはずであろうと云う予想を覆すことから、偽造防止対策の工夫点として、また、遊び心としての楽しみを与えられる工夫点として、有効な場合も期待できる。
【００１７】  本発明が解決しようとする課題は、用紙または印刷物の片面と反対面のそれぞれからスレッドのマイクロ文字を観察しようとしたときに、互いに逆向きではなくいずれの面からでも同じ向きにマイクロ文字の像を視認できること、また、用紙または印刷物の片面からスレッドのマイクロ文字の像を視認できたときに、反対面から観察すると該当すべきそのマイクロ文字の像が視認できない（又は視認し難い）こと、これらを満足するスレッドと、その製造方法、そのスレッドを用いた偽造防止用紙、及び偽造防止印刷物、並びに、それら偽造防止用紙または偽造防止印刷物を用いた真贋判定方法を提供することにある。
【００１８】  本発明に於いて上記課題を達成するために、まず請求項１の発明では、表裏の面をもつ糸状物であり且つ光透過性を持つ基材の片側の面に、少なくとも、文字または模様のいずれか片方または両方によるパターン状に形成された１以上の金属薄膜層、及び、該金属薄膜層のそれぞれの上にそれぞれの金属薄膜層と同じパターン状に形成され且つ着色された着色樹脂層を備え、
該金属薄膜層が有る領域と、該金属薄膜層が無い領域との光透過性の違いによって、光に翳したときに前者の領域と後者の領域とでコントラストが生じること、
且つ、該基材の、該金属薄膜層および着色樹脂層が備わった側から観察すると、該パターン状の着色樹脂層を視認できること、
を特徴とするスレッドとしたものである。
【００１９】  また、請求項２の発明では、更に、前記基材の反対側の面に、少なくとも、文字または模様の片方または両方によるパターン状に形成された１以上の金属薄膜層、及び、該金属薄膜層のそれぞれの上にそれぞれの金属薄膜層と同じパターン状に形成され且つ着色された着色樹脂層を備え、
該金属薄膜層が有る領域と、該金属薄膜層が無い領域との光透過性の違いによって、光に翳したときに前者と後者との間でコントラストが生じること、
且つ、該基材の、該金属薄膜層および着色樹脂層が備わった側から観察すると、該着色樹脂層を該パターン状に視認できること、
を特徴とする請求項１に記載のスレッドとしたものである。
【００２０】  また、請求項３の発明では、前記基材の面の片側と反対側との間で、前記パターンが同様であることを特徴とする請求項２に記載のスレッドとしたものである。
【００２１】  また、請求項４の発明では、前記基材の面の片側と反対側との間で、前記パターンが異なることを特徴とする請求項２に記載のスレッドとしたものである。
【００２２】  また、請求項５の発明では、前記基材の片側の面に形成された前記金属薄膜層と、反対側の面に形成された前記金属薄膜層とは、パターン、大きさ、配置、又は、向きのいずれかが相違していることを特徴とする請求項２に記載のスレッドとしたものである。
【００２３】  また、請求項６の発明では、前記基材の面の少なくとも片側で、前記着色が同一色であることを特徴とする請求項２に記載のスレッドとしたものである。
【００２４】  また、請求項７の発明では、前記基材の面の少なくとも片側で、前記着色がパターンによって異なることを特徴とする請求項２に記載のスレッドとしたものである。
【００２５】  また、請求項８の発明では、前記基材の面の片側と反対側の両方とも、前記着色が同一色であることを特徴とする請求項２に記載のスレッドとしたものである。
【００２６】  また、請求項９の発明では、前記基材の面の片側と反対側で互いに、前記着色がパターンによって異なることを特徴とする請求項２に記載のスレッドとしたものである。
【００２７】  また、請求項１０の発明では、前記の同様のパターン状に形成された前記金属薄膜層とそれに対応する着色樹脂層が１組以上あり、前記基材上にパターンが１列以上並ぶように設けてあることを特徴とする請求項２に記載のスレッドとしたものである。
【００２８】  また、請求項１１の発明では、前記文字または模様によるパターンが、前記基材の、それに対応する前記金属薄膜層とそれに対応する着色樹脂層が設けてある側から観察した場合の正向きで設けてあることを特徴とする請求項２に記載のスレッドとしたものである。
【００２９】  また、請求項１２の発明では、前記文字または模様によるパターンが、前記基材の、それに対応する前記金属薄膜層とそれに対応する着色樹脂層が設けてある側から観察した場合の左右又は上下が逆向きで設けてあることを特徴とする請求項２に記載のスレッドとしたものである。
【００３０】  また、請求項１３の発明では、ウェブ状で且つ光透過性を持つ基材の面に、金属の薄膜を成膜することにより前記金属薄膜層を設け、
該金属薄膜層の上に前記着色樹脂層を印刷法によって所望のパターン状に形成し、
該パターン状の着色樹脂層を耐エッチング用のマスクとして該金属薄膜層をエッチングすることにより、該金属薄膜層と着色樹脂層とが同様のパターン状を成して重なるように形成し、
その後、該基材をスレッドの幅になるように切断すること、
を特徴とする請求項２に記載のスレッドの製造方法としたものである。
【００３１】  また、請求項１４の発明では、短冊形で光透過性を持つ基材の面に、金属の薄膜を成膜することにより前記金属薄膜層を設け、
該金属薄膜層の上に前記着色樹脂層を印刷法によって所望のパターン状に形成し、
その後、該パターン状の着色樹脂層を耐エッチング用のマスクとして該金属薄膜層をエッチングすることにより、該金属薄膜層と着色樹脂層とが同様のパターン状を成して重なるように形成すること、
を特徴とする請求項２に記載のスレッドの製造方法としたものである。
【００３２】  また、請求項１５の発明では、請求項２に記載のスレッドが、用紙となる紙の中に抄き込まれていることを特徴とする偽造防止用紙としたものである。
【００３３】  また、請求項１６の発明では、請求項２に記載のスレッドが、紙の表面には露出しないように紙に抄き込まれており、
且つ、前記スレッドの前記着色樹脂層がある側の該紙の面を反射光で観察したとき、該着色樹脂層を前記パターン状に視認できること、を特徴とする偽造防止用紙としたものである。
【００３４】  また、請求項１７の発明では、請求項１５に記載の偽造防止用紙に、偽造防止印刷物としての印刷を施した印刷部が設けてあることを特徴とする偽造防止印刷物としたものである。
【００３５】  また、請求項１８の発明では、請求項１５に記載の偽造防止用紙の真贋を判定する方法であって、
（ａ）反射光で前記着色樹脂層を前記パターン状に視認できたとき、その反対側の面から反射光で観察すると、該視認できた着色樹脂層の左右または上下が逆向きのパターンは視認し難いこと、
（ｂ）これを光に翳して透過光で観察したときは、前記視認できた着色樹脂層のパターンが影となって視認できること、
これら（ａ）及び（ｂ）を確認できるか否かに基づいて判定すること、を特徴とする偽造防止用紙の真贋判定方法としたものである。
【００３６】  さらにまた、請求項１９の発明では、請求項１７に記載の偽造防止印刷物の真贋を判定する方法であって、
（ｃ）反射光で前記着色樹脂層を前記パターン状に視認できたとき、その反対側の面から反射光で観察すると、該視認できた着色樹脂層の左右または上下が逆向きのパターンは視認し難いこと、
（ｄ）これを光に翳して透過光で観察したときは、前記視認できた着色樹脂層のパターンが影となって視認できること、
これら（ｃ）及び（ｄ）を確認できるか否かに基づいて判定すること、を特徴とする偽造防止印刷物の真贋判定方法としたものである。
【００３７】  本発明は以上の構成であるから、下記に示す如き効果がある。
【００３８】  即ち、上記本発明で得られるスレッドは、代表例として偽造防止用紙（偽造防止印刷物を得る為の用紙）とか偽造防止印刷物に利用できる。従来のスレッド入り用紙（又は印刷物）は、片面（オモテ面）から観察したときにスレッドの片面（オモテ面）のマイクロ文字の像が視認されるだけで、反対面（裏面）から観察したときにはスレッドのマイクロ文字の像は必然的に左右の向きか又は上下の向きが逆になった「逆向き」の像として視認されるだけであった。このとき、反射光を使うかあるいは透過光を使うかにも、関係は無かった。
【００３９】  これに対し、基本となる請求項１のスレッドの発明に基づく（偽造防止）用紙または（偽造防止）印刷物は、反射光で、片面（例えばオモテ面）から視認できたスレッドのマイクロ文字等のパターンの着色された像が、反対面（例えば裏面）から見ると反射光では視認できない（又は視認し難い）。これは当然何か見えるはずであろうと云う予想を覆すことから、偽造防止対策の工夫点として、また、遊び心としての楽しみを与えられる工夫点として、有効な場合も期待できる。これは、反対面から見た場合には、観察者の側に位置する金属薄膜層が紙の中で光を反射する結果、前記パターン化された金属薄膜層と着色層があたかもそこに存在しないかのように見えてしまう為である。尚、この場合、用紙または印刷物を光に翳して透過光で観察した場合は、当該マイクロ文字等によって影となった像をいずれの面からでも視認できる効果を得られる。
【００４０】  また、さらに工夫したことで（少し違った構成となる）請求項２の発明に基づく（偽造防止）用紙または（偽造防止）印刷物は、反射光で、片面（例えばオモテ面）と反対面（オモテ面に対する裏面）のそれぞれから観察したときに、スレッドのマイクロ文字の着色された像がいずれの面からでも同じ向きに視認することができる。代表例である冊子型のパスポート、通帳、手帳の類の本文用紙、等に採用すれば、その商品価値を高めたり、また、高い偽造防止効果も期待することができる。
【００４１】  尚、もしこのスレッドが紙の表面に部分的に露出するように抄きまれていた場合には、スレッドの前記反対面に在る金属薄膜層による反射光が紙の表層を介すること無く見えてしまう場合もありえるので、そのときは金属薄膜層のパターンの存在に気づいてしまう可能性が出てくる。従って、スレッドが紙の中に全部収まるように抄き込むことが、前記の効果を期待するうえで一般に好ましい。
【００４２】  尚、この場合の当該マイクロ文字等の像は、反射光で片面（例えばオモテ面）から視認できていた像（前者）と、反射光で反対面（オモテ面に対する裏面）から視認できていた像（後者）があって、用紙または印刷物を光に翳して透過光で観察した場合には、前者と後者が重なり合うことになって得られる像を視認することができる（この像は影になって見える像である）。
【００４３】  ここで、両者のマイクロ文字の配置が、例えば、互いに重なることなく、大きさ、形状、傾き、色、等が同様であれば、視認した人にとっては、実際に同じ像を見ているような錯覚も起す場合もあるので面白みを得られたり、また偽造を困難にする効果も期待できる。他方、両者のマイクロ文字の配置を、例えば、互いに一部／又は全部を重ねたり、及び／又は、大きさ、形状、傾き、色、等を両者で互いに同様にしたり、あるいは両者で互いに大小相違を与えることにより、前記の場合とはまた違った面白みを与えるたり、また、やはり偽造を困難にする効果も期待できる。
【００４４】  また、本発明で得られるスレッドは、偽造防止用紙の用途以外にも用いることができる。例えば、和服用の生地の製造に使用される金銀糸と同様な製造方法、即ち撚り糸の外周方向にスパイラル状にこのスレッドを巻き付けて縫い糸を製造すると、偽造防止を目的とした縫い糸とすることができる。また、この縫い糸を、ブランド物と呼ばれる高級なバッグ等の人目に付かない部分に縫いつけておくと、偽物と本物の区別を容易に行うことができる。尚、そのバッグ等に縫い付ける個所を、例えば、そのバッグ等の人目に付かない部分に縫い付けておくと、真偽判定用としては、なかなか気付かれ難いというメリットも得られる。
【図面の簡単な説明】
【００４５】
【図１】本発明のスレッドを製造するための資材で、基材の上に金属蒸着層とその上に着色された樹脂印刷層が複数列施された正面図である。
【図２】図１の一部拡大側断面図である。
【図３】図２の基材にデメタライジング加工を施した一部拡大側断面図である。
【図４】本発明のスレッドの一事例を示す正面図である。
【図５】本発明のスレッドの他の一事例を示す一部拡大断面図である。
【図６】本発明のスレッドの他の一事例を示す正面図である。
【図７】本発明のスレッドの他の一事例を示す正面図である。
【図８】本発明のスレッドの他の一事例を示す正面図である。
【図９】本発明のスレッドの他の一事例を示す正面図である。
【図１０】本発明のスレッドの他の一事例を示す正面図である。
【図１１】本発明のスレッドの他の一事例を示す正面図である。
【図１２】図１１のスレッドの裏面を示す図である。
【図１３】本発明の偽造防止用紙の一事例を示す正面図である。
【図１４】図１３のＡ−Ａ線を示す断面図である。
【図１５】本発明の偽造防止用紙の一事例を示す一部拡大断面図である。
【図１６】図１５の偽造防止用紙の一事例を示す正面図である。
【図１７】本発明の偽造防止用紙の一事例を示す一部拡大断面図である。
【図１８】本発明の偽造防止印刷物の一事例を示す正面図である。
【発明を実施するための最良の形態】
【００４６】  以下本発明を実施するための最良の形態を図面を用いて詳細に説明する。【００４７】  図１は、本発明のスレッド（１）を製造するために基材の表面に形成した金属蒸着層（３）上に、着色された樹脂印刷層（７）が形成された状態を表す正面図であり、図２は、その一部拡大断面図であり、基材（２）の表面前面に金属蒸着層（３）が施され、その上に、着色された樹脂印刷層（７）が施され、その裏面には、図１では図示できない金属蒸着層（４）上に着色された樹脂印刷層（８）が形成されている。この着色された樹脂印刷層（７，８）は、マイクロ文字のパターンとして印刷されている。【００４８】  ここで、金属蒸着層（３、４）は、本発明の金属薄膜層の好例で、金属を真空蒸着法によって成膜してあり、本発明では、適当な遮光性や光反射性を得やすいとか、その加工性、あるいはコスト面、等から好ましい。尚、本発明の金属薄膜層の成膜には、必要となれば適宜その他の成膜技術を使用してもよい。また、着色された樹脂印刷層（７、８）は、本発明の着色樹脂層の好例で、着色材と樹脂を主成分とするインクを適当な印刷技術を用いて所望のパターン状に形成したものである。印刷技術を適宜選択することにより、所望するパターンを精度良く容易に形成できるメリットがある。【００４９】  着色された印刷樹脂層（７）、（８）は互いに同じ色相でも、或いは互いに異なった色相であってもよい。【００５０】  上記金属蒸着層（３、４）をエッチングによりパターニングする場合に、着色された樹脂印刷層（７、８）を耐エッチング性のマスクに利用する為には、着色された樹脂印刷層（７、８）の着色材や樹脂等の材料としては、エッチング液に侵され難いものを選択する必要がある。尚、金属蒸着層（３、４）と着色された樹脂印刷層（７、８）との界面にエッチンング液が浸透してしまうとパターニング精度に悪影響するので、これを予防する為には、この金属蒸着層と着色樹脂印刷層との間の密着性が良い材料とか成膜手法を適宜選択するのが好ましい。【００５１】  この際、着色された樹脂印刷層（７，８）には、紫外蛍光発色剤を併用することも可能である。さらに紫外線で発色しかつ通常の光で着色して見える染料・顔料も使用することができる。【００５２】  着色された樹脂印刷層（７，８）はオフセット印刷、グラビア印刷、スクリーン印刷、フレキソ印刷、インクジェット印刷等で設けることができる。通常この印刷厚味は、０．５μｍ〜３μｍである。マイクロ文字の大きさは、通常２〜１０ポイント相当のものを使用することが好ましい。【００５３】  また、この基材をアルカリ性水溶液や酸性水溶液に浸漬し（即ちデメタライジング加工を施し）、図３に示すように、着色された樹脂印刷層（７，８）以外の部分の金属蒸着層が溶解され、これを、マイクロスリッターを使用してスリットし、ボビンに巻き取ることで本発明のスレッドとすることができる。【００５４】  以下本発明においては、理解を容易にするために、金属蒸着層はアルミニウム蒸着層とし、表面の着色された樹脂印刷層（７）は、「赤色」に着色されており、裏面の着色された樹脂印刷層（８）は、「青色」に着色されていると仮定して説明する。【００５５】  図３において、赤色に着色された印刷樹脂層（７）は透明であるので、この層に入射した光はこの層に接するアルミニウム蒸着層（３）の表面で反射され、表面に出てくる。この時の色相は、「赤」にアルミニウム蒸着層の「銀色」が加わった「赤銀色」のマイクロ文字として観察される。同様の理由で、裏面では「青銀色」のマイクロ文字として観察される。この際、基材（２）が透明の場合は、図４に示すように、裏面に形成したマイクロ文字（４）は左右が逆文字として観察されるが、その色相はアルミニウム蒸着層の銀色となっている。【００５６】  また、図５に示すように、着色された樹脂印刷層（７、８）を基材の表面の全面に形成するのではなく、部分的に着色されていない樹脂印刷層（９）を設けるような構成も適宜選択できる。この場合は、金属蒸着層の色相、例えば金属アルミニウムの蒸着では銀色が結果的にスレッドの表面から視認されることとなる。着色されていない樹脂印刷層（９）に使用する樹脂は、着色された樹脂印刷層（７、８）に使用される樹脂と同一の樹脂を使用することができる。【００５７】  また、図６〜図９は、本発明のスレッドの種々の形態の例を示した正面図である。【００５８】  まず、図６に図示したスレッド（１）においては、デメタライジング加工で設けた着色された樹脂印刷層（７）がスレッドの流れ方向に対して角度をつけて配列されている。図示はできないが、裏面のデメタライジング加工で設けた着色された樹脂印刷層も同様にスレッドの流れ方向に対して角度をつけて配列されていて、その金属蒸着層（４）を透明な基材を透して視認することができる。【００５９】  また、図７に図示したスレッド（１）においては、デメタライジング加工で設けた着色された樹脂印刷層（７）が、スレッドの巾方向に上下が切断されない形態で少なくとも１列入るように配列されている。図示はできないが、裏面のデメタライジング加工で設けた着色された樹脂印刷層も同様にスレッドの巾方向に上下が切断されない形態で少なくとも１列入るように配列されていて、その金属蒸着層（４）を透明な基材を透して視認することができる。【００６０】  図８に図示したスレッド（１）においては、デメタライジング加工で設けた着色された樹脂印刷層（７）の一列が「ネガ型」で配列されている。図示はできないが、裏面のデメタライジング加工で設けた着色された樹脂印刷層の一列も同様に「ネガ型」で配列されていて、その金属蒸着層（４）を透明な基材を透して視認することができる。【００６１】  また、図９に図示したスレッド（１）においては、デメタライジング加工で設けた着色された樹脂印刷層（７）が一列に中央に位置するように配列されている。図示はできないが、裏面のデメタライジング加工で設けた着色された樹脂印刷層も同様に、一列に中央に位置するように配列されていて、その金属蒸着層（４）を透明な基材を透して視認することができる。【００６２】  さらにまた、図１０に図示したスレッド（１）においては、デメタライジング加工で設けた着色された樹脂印刷層（７）が２列平行にスレッドの巾方向に上下が切断されない形態で配列されている。図示はできないが、裏面のデメタライジング加工で設けた着色された樹脂印刷層も同様に、２列平行にスレッ���の巾方向に上下が切断されない形態で配列されていて、その金属蒸着層（４）を透明な基材を透して視認することができる。【００６３】  本発明においては、上に例示した形態のスレッドだけでなく、この他の形態のスレッドも本発明の範疇に入ることは言うまでもない。また、表裏同一のデザインにすること、表裏異なったデザインにすること、表裏同一の色にすること、表裏異なった色にすること、表（オモテ）面に形成するマイクロ文字がそれぞれ異なった色にすること、裏面に形成するマイクロ文字がそれぞれ異なった色にすること、を適宜組み合わせて採用できる。【００６４】マイクロ文字も図８に示すように「ポジ型」若しくは「ネガ型」のいずれであっても構わない。【００６５】  図１１に図示したスレッドは、マイクロ文字「ＳＥＣＵＲＩＴＹ」が着色されておらず銀色に見え、マイクロ文字「３」が赤色に着色されて見える例である。図１２は図１１のスレッドの裏面を示したもので、マイクロ文字「ＳＥＣＵＲＩＴＹ」が着色されておらず銀色に見え、マイクロ文字「４」が青色に着色されて見える例である。【００６６】  なお、図１１及び図１２は、本来透明な基材を通して反対の面に形成されたマイクロ文字が裏文字として視認されるが、理解しやすくするためにこれらを省略してある。【００６７】  図１３は、本発明の偽造防止用紙（１０）の一例を示す平面図であり、図１４は図１３のＡ−Ａ線における断面説明図である。図示した偽造防止用紙（１０）は、紙層（１５ａ）と紙層（１５ｂ）の２層から構成されてなり、これら層（１５ａ、１５ｂ）間にスレッド（１）が挿入されている。【００６８】  また、図１５は、紙層（１５ａ、１５ｂ）間に抄き込まれた本発明のスレッド（１）の見え方を説明するための偽造防止用紙（１０）の一部拡大断面図であり、図１６は、その平面図である。この状態でスレッド部（１）を用紙の表面（オモテ面）からみると、表側の着色された樹脂印刷層（７）が、「赤色」のマイクロ文字のパターンとして観察できるように製造されている。スレッド単独では前に述べたように「赤銀色」に観察されるが、紙層間に抄き込まれたスレッドは用紙表面からは銀色が失われて観察されるので「赤色」として観察されることとなる。同様に、用紙の裏面からは「青色」のマイクロ文字のパターンが観察できるように製造されている。【００６９】  前に述べたように、裏面に形成したマイクロ文字は、フィルムを透過して観察すると左右が「逆文字」として観察されるが、その色相はアルミニウム蒸着層の銀色となっている。この光が用紙表面に出て来ても、用紙の色と区別できなくなるように製造されているのでマイクロ文字のパターンとして観察されないこととなる。【００７０】  以下、本発明のスレッド（１）をより詳しく説明する。【００７１】  基材（２）はセロファン、ポリプロピレン、ポリエチレンテレフタレート、ポリブチレンテレフタレート、ポリアセタール、ポリフェニレンエーテル、液晶ポリマー、ポリ塩化ビニル、ポリエステル、ポリアミド、ポリカーボネート、ポリメタクリル酸エチル、ポリスチレン等の半合成、若しくは合成樹脂フィルムを、単層あるいは複合体として使用できる。さらに抄紙機の乾燥ゾーンで融解もしくは軟化しない材質で、通常は９０〜１１０℃で粘着性をおびない性質の材質を選択するのが好ましい。基材の厚みは、薄すぎても各種の加工が困難となり、厚すぎてもスレッドを紙層間に抄き込んだ場合に部分的に紙の厚味が増大し種々の問題点を引き起こすので、基材の厚みは５μｍ〜２５μｍとすることが好ましい。【００７２】  基材（２）は、スレッドが紙層間に抄き込まれた偽造防止用紙とか偽造防止印刷物の状態では、外観からその存在を視認できないことが好ましく、この条件を満たす基材として無彩色の基材を挙げることが出来る。ごく淡く着色した有彩色の基材であっても本発明の目的を達成できれば使用することができる。本発明においては、代表例として、物理的な強度が大きく、化学的にも安定な透明なポリエステルフィルムが好適に使用できる。【００７３】  また、サンドブラスト加工を施した半透明の基材も用紙の色が白色か白色に近い場合、紙層間に抄き込まれたスレッドの存在を反射光下で視認できないため好ましく使用される。透過光で観察し、表面から裏文字が見えるようにするためには、基材が透明であることが必要である。本発明において、透明とは、透明度が必ずしも１００％必要というわけではなく、課題を達成できれば多少その数値が低くても構わないことを意味する。これは、前記用紙とか印刷物のスレッドが在る辺りに印刷されたインクの色等とも関係するので、この透明度は適宜調整してよい。【００７４】  基材（２）には、紫外線を吸収する性質を与えることが好ましい。その理由は、後に述べるようにスレッドの表裏を判定する手段として、接着剤に紫外線の照射で発光する染料や顔料を併用し、用紙製造中に紫外線をスレッドに照射してスレッドの表裏を判定する場合に、基材（２）が紫外線を吸収しないと、デメタライジング加工で取り去った金属蒸着層の間から紫外線が基材を透過し、スレッドの両面が発光して観察され、スレッドの表裏を判定することが困難となるからである。【００７５】  基材（２）にかような性質を与えるには、紫外線吸収剤を基材製造時に練り込むか、或いは紫外線を吸収する塗工層を基材の表面に設けるかのいずれかの周知の手段を採用できる。紫外線吸収剤としては、ベンゾフェノン系、トリアジン系、トリアゾール系、サリチル酸系、ハイドロキノン系、アミン系、酸化亜鉛や酸化チタン等の超微粒子金属酸化物系等の周知の紫外線吸収剤をいずれも使用することができる。紫外線吸収剤の添加量は基材に対して通常０．０１〜５質量％である。【００７６】  基材（２）にマイクロ文字を形成する方法として、デメタライジング加工が挙げられる。このデメタライジング加工はよく知られた方法であり（例えば、特表２００５−５１３５８５号公報）、例えば、金属アルミニウムを真空蒸着した基材（２）に耐アルカリ性や耐酸性を有した樹脂インキに紅・藍・黄・墨・白色等の染料や顔料の単独或いは混合物の着色剤を添加してマイクロ文字を印刷し、着色された樹脂印刷層（７、８）を形成した後、アルカリ性水溶液や酸性水溶液で印刷部以外のアルミニウム等の蒸着層を洗い流す。このような処理によって印刷部にアルミニウム等の蒸着層が残り、印刷部以外は基材（２）が露出する。この蒸着層に用いられる金属は、前述し���アルミニウムが代表的であるが、この他に、スズ、亜鉛、鉄、ニッケル、クロム、コバルト、等の金属の単体や混合物を使用できる。特に、マイクロ文字列の少なくとも一方を、例えばニッケル−コバルトのような磁性体の蒸着膜にすることで、磁気情報を偽造防止手段とすることができる。金属蒸着層の厚みは通常２５０〜１０００オングストロームが適切である。【００７７】  基材（２）に以上の処理を施した後、必要に応じて片方の面或いは両面に接着剤を塗工する。その接着剤としては、抄紙機のドライヤーで軟化若しくは溶融して、用紙と強固に接着する性能を有した周知の接着剤を使用する。接着剤層としては、ポリ酢酸ビニル樹脂系、ポリ塩化ビニル樹脂系、ポリエステル樹脂系、ポリアクリル酸エステル樹脂系、エチレン−酢酸ビニル共重合体樹脂系、ポリビニルアルコール樹脂系等の公知の接着剤を水系若しくは溶剤系の塗料とし、ロールコーターやグラビアコーター等の周知の塗工機を用いて基材の表面に塗工することにより形成できる。その塗工量は、通常で０．１〜１０ｇ／ｍ２（乾燥質量換算）とする。【００７８】  紙層間にスレッドが埋没しているタイプのスレッド抄き込み紙においては接着剤の塗工量は少なくて良いが、窓空きスレッド入り紙の場合は塗工量を増加させる。接着剤には必要に応じて、ブロッキング防止剤、潤滑剤、着色剤、蛍光発色剤等を添加してもよい。前に述べたように、スレッドの表裏を判定する必要がある場合には、基材として紫外線を吸収する基材を使用し、接着剤に蛍光発色剤を添加して片面だけにこの接着剤を塗工したスレッドを製造することで、紫外線の照射によりスレッドの発光の有無でスレッドの表裏を容易に判定できるようになる。【００７９】  次いで、マイクロスリッター装置を使用して常法に従い所定の巾でスリットして本発明のスレッドができあがる。スレッドの巾は、通常０．５ｍｍ巾〜１０ｍｍ巾とする。スレッドに形成されているマイクロ文字は、１列以上の正文字や正模様のパターンが視認できるように形成されている必要がある。【００８０】  デメタライジング加工を施した原反は、基材（２）の表裏両面に着色された樹脂印刷層（７，８）を設ける方法として、予め両面に金属を真空蒸着した基材に、先ず表面（オモテ面）に着色された樹脂印刷層（７）を設け、その後に裏面に着色された樹脂印刷層（８）を設け、次いでデメタライジング加工する方法、或いはこの逆の方法、即ち、予め両面に金属を蒸着した基材に、先ず着色された樹脂印刷層（８）を設け、その後に着色された樹脂印刷層（７）を設け、次いでデメタライジング加工する方法を採用することができる。【００８１】  或いは、予め片面に金属を蒸着した基材の表面に、先ず着色された樹脂印刷層（７）を設け、その後にデメタライジング加工を施し、次いでこの面と反対の面に着色された樹脂印刷層（８）を設け、次いでデメタライジング加工する方法でも得ることができる。【００８２】  次に、本発明の偽造防止用紙（１０）の製造方法の一例を説明する。【００８３】［紙料の調製］
まず、針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）等の製紙用パルプを主体とし、ビーターやディスクリファイナー等を使用して叩解処理し、これに白土，カオリン，炭酸カルシウム，二酸化チタン，水酸化アルミニウム等の各種填料、紙力増強剤、サイズ剤、歩留まり向上剤、消泡剤、着色染料、着色顔料、蛍光増白剤、定着剤等を適宜併用し紙料を調整する。【００８４】［偽造防止用紙の製造］
本発明の偽造防止用紙は、従来公知の方法を使用して製造できる。前にも述べたように、スレッド入り紙には大きく分けて２種類ある。一つはスレッドが用紙内部に抄き込まれ、用紙表面に露出しない種類のものであり、もう一つはスレッドの一部が用紙表面に間欠的に露出した「窓空きスレッド入り紙」と呼ばれるものである。本発明の偽造防止用紙は、これらのいずれであっても構わないが、本発明のスレッドの特徴を最大限に発揮するのは、「窓空きスレッド入り紙」である。【００８５】  前者の用紙を製造する方法としては、前に述べたように、長網抄紙機のスライス部分における紙料の流れの中にノズルを入れ、ノズルに水を流しながらスレッドを繰り出し、抄紙網に形成される紙匹中にスレッドを抄き込む方法（特許文献１）、長網抄紙機のフローボックスから流出する紙料へスレッドの挿入装置を設置し、空気流でスレッドと紙料を非接触状態としながらスレッドを抄き込む方法（特許文献２）、２層以上を有した円網抄紙機を使用し、２層以上の抄き合わせで、内壁に凹凸を設けた送管を使用してスレッドを紙層間に送り出し、紙層間にスレッドを抄き込む方法（特許文献３）等が採用できる。本発明においては、これらの方法以外の方法を採用しても良いことは言うまでもない。【００８６】  なお、図１７は、本発明の偽造防止用紙の一製造例で、３槽式円網抄紙機を使用して製造した３層抄き合わせ紙の一部拡大断面図を示している。より詳しく述べると、紙層１５ａ、１５ｂ、１５ｃの３層を抄き合わす際に、本発明のスレッドを紙層１５ａと１５ｂの間に抄き込んだ製造例である。この製造例において、（表面の）着色された樹脂印刷層（７）と、（裏面の）着色された樹脂印刷層（８）が同一の場合は、用紙の表面（オモテ面）、即ち紙層１５ａ側から見た場合の方が、用紙の裏面、即ち紙層１５ｃ側から見た場合より、スレッドに形成されたマイクロ文字が濃く見えることとなる。これが問題となる場合は、（表面の）着色された樹脂印刷層（７）の濃度を、（裏面の）着色された樹脂印刷層（８）濃度より低くするとよい。この場合、スレッドの表裏を制御しながら用紙に抄き込む必要があるが、その制御は前述した方法を使用することができる。【００８７】  後者の「窓空きスレッド入り紙」を製造する方法としては、前に述べたように、ワイヤー上の紙料懸濁液に、凹凸部を有するガイドの凸部先端にスレッドを通した溝を有するベルト機構を埋没して製造する方法（特許文献４）や、凹凸状に加工した網を円網抄紙機の上網に使用し、スレッドを網表面の凹凸部に接触させながら挿入して窓空き部分にスレッドを抄き込む方法（特許文献５）や、長網抄紙機のワイヤー上の回転ドラム内に圧縮空気ノズルを内蔵させ、予め紙匹に挿入したスレッド上のスラリーを圧縮空気で間欠的に吹き飛ばしてスレッドを露出させる方法（特許文献６）等が採用できる。本発明においては、これらの方法以外の方法を採用しても良いことは言うまでもない。【００８８】  また、抄紙途上で紙面にポリアクリルアマイド樹脂、澱粉、ポリビニルアルコール等を塗工することも可能である。さらに必要に応じてマシンカレンダー処理やスーパーカレンダー処理を施し、表面平滑性を向上させることも適宜行わ���る。【００８９】  窓空きスレッド入り紙の場合、例えば図３に示すような両面に着色された印刷層（７、８）があるスレッドを抄き込んだ場合は、窓の部分も同様に裏面から光を透過すると、裏文字の金属蒸着面（４）が目視できる。【００９０】  例えば、スレッドの片面には、赤銀色に見えるマイクロ文字が形成され、反対面には青銀色に見えるマイクロ文字が形成されたスレッドが紙層間に抄き込まれた偽造防止用紙に於いては、下記に述べるような効果が得られるように、用紙の厚味や用紙製造の処方を工夫する必要がある。用紙表面（オモテ面）から入射した光は、赤色に着色された印刷層樹脂（７）の表面で反射するので用紙表面で赤色のマイクロ文字が視認できるようにする。同様の理由で、用紙の裏面では青色のマイクロ文字が視認できるようにする。用紙の表面（オモテ面）から入射した光は、スレッドの内部にも入射し、青色のマイクロ文字が形成されている面、即ち金属蒸着面にも到達する。到達した光は蒸着面で反射し、その一部は用紙の表面から出てくるがこの光は蒸着面の色相、即ち銀色を有しているので、用紙表面の反射光の色相と殆ど区別することができないようにする。この目的を達成させる手段として最も有効な方法は、用紙の坪量の調整と、紙料に併用する各種の填料の種類や添加量の調整が最も有効である。用紙の坪量は、通常５０〜１５０ｇ／ｍ２とする。【００９１】  このようにして得られた本発明の偽造防止用紙の真偽判定は、例えば、図１５、図１６に示すように、表面から見て、反射光で着色された樹脂印刷層（７）を「★ＡＢＣＤ」のように視認できたとき、裏面から反射光で観察すると、表面から視認された樹脂印刷層（７）「★ＡＢＣＤ」の左右逆文字（図示せず）が視認し難いこと、あるいは光を翳して透過光で観察したときは、着色された樹脂印刷層（７）「★ＡＢＣＤ」が影となって視認できる場合は偽物となることになる。【００９２】  以下に、本発明の具体的実施例について説明する。
【実施例１】
【００９３】［スレッドの製造］
基材として、厚み１２μｍの透明ポリエステルフィルム（東レ社製）の巻き取りを使用し、その両面に、金属アルミニウムを５０ｎｍ（ナノメートル）ずつ真空蒸着機を使用して常法に従い蒸着した。この片面には、グラビア印刷機を使用して青色に着色した耐アルカリ性樹脂インキ（デメタライジング加工用アクリル系樹脂１００質量部に青色染料：オレオゾールブルー（住友化学工業社製）を２０質量部配合）を使用して着色した樹脂印刷層（マイクロ文字印刷層）を形成した。基材の反対面には、赤色に着色した耐アルカリ性インキ（デメタライジング加工用アクリル系樹脂１００質量部に赤色染料：オレオゾールファーストレッド（住友化学工業社製）を１５質量部配合）を使用して着色した樹脂印刷層（マイクロ文字印刷層）を形成した。【００９４】  上記マイクロ文字は、「★ＡＢＣＤ」の文字からなり、その大きさは２．５ポイント（ポイント数はアメリカ式ポイント数を意味し、１ポイントは約０．３５ｍｍである）、文字と文字の間隔は０．４ｍｍ、文字列と文字列の間隔は０．８ｍｍとした。文字列は、図５に示すように、基材の流れ方向に対して、１８度傾斜して印刷されている。【００９５】  次いで、常法に従い、水酸化アルミニウム水溶液を使用して、デメタライジング加工を施し、水洗、乾燥してロールに巻き取った。【００９６】  さらにこの片面に、エチレン−酢酸ビニル系の感熱接着剤を１．５μｍの厚みでグラビアコーターを使用して塗工し接着剤層を形成した。次いでマイクロスリッターを使用して巾２ｍｍのスレッドを製造した。このスレッドをボビンに巻き取った。
【実施例２】
【００９７】［スレッド製造］
基材として、厚み１２μｍの透明ポリエステルフィルム（東レ社製）の巻き取りを使用し、その片面に、金属アルミニウムを４０ｎｍ（ナノメートル）になるように真空蒸着機を使用して常法に従い蒸着した。この蒸着面には、グラビア印刷機を使用して青色に着色した耐アルカリ性樹脂インキ（デメタライジング加工用アクリル系樹脂１００質量部に青色染料：オレオゾールブルー（住友化学工業社製）を２０質量部配合）を使用して着色した樹脂印刷層（マイクロ文字印刷層）を形成した。【００９８】  次いで、常法に従い、水酸化アルミニウム水溶液を使用して、デメタライジング加工を施し、水洗、乾燥してロールに巻き取った。【００９９】  次いで、基材の反対面に金属アルミニウムを４０ｎｍ（ナノメートル）になるように真空蒸着機を使用して常法に従い蒸着した後、赤色に着色した耐アルカリ性インキ（デメタライジング加工用アクリル系樹脂１００質量部に赤色染料：オレオゾールファーストレッド（住友化学工業社製）を１５質量部配合）を使用して着色した樹脂印刷層（マイクロ文字印刷層）を形成した。【０１００】  次いで、常法に従い、水酸化アルミニウム水溶液を使用して、デメタライジング加工を施し、水洗、乾燥してロールに巻き取った。【０１０１】  上記マイクロ文字は、図１０に図示すように、「★ＡＢＣＤ」の文字からなり、その大きさは２．５ポイント（ポイント数はアメリカ式ポイント数を意味し、１ポイントは約０．３５ｍｍである）、文字と文字の間隔は０．４ｍｍ、文字列と文字列の間隔は０．３２５ｍｍとした。文字列は、透過光で観察した時に、表側の文字列と裏側の文字列が互いに重ならないように配列した。【０１０２】  さらに片方の表面に、ベンゾフェノン系紫外線吸収剤を自己架橋型のポリエステルアクリル酸エステル樹脂に混合した紫外線吸収層を２μｍの厚みで形成した。【０１０３】  さらにこの面に、オキサゾール系の蛍光発色剤（接着剤に対して２．５質量％使用）を添加したエチレン−酢酸ビニル系の感熱接着剤を２μｍの厚みで塗工して接着剤層を形成した。次いでマイクロスリッターを使用して巾２．４ｍｍのスレッドを製造した。この際、図１０に示したように、マイクロ文字の上や下が切られないようにマイクロスリッターを制御してスリットし、スレッドはボビンに巻き取った。
【実施例３】
【０１０４】［偽造防止用紙の製造］
＜紙料の調製＞
ＮＢＫＰ２５質量部，ＬＢＫＰ７５質量部をフリーネス３５０ｍｌＣ．Ｓ．Ｆ．に叩解し、これに白土１０質量部、二酸化チタン５質量部、紙力増強剤：ポリストロン（荒川化学工業社製）０．４質量部、サイズ剤：サイズパインＥ（荒川化学工業社製）１．０質量部、硫酸バンドを適量加え、紙料を調製した。【０１０５】  ＜偽造防止用紙の製造＞
２槽式円網抄紙機の第１槽目と第２槽目で、それぞれ坪量４５ｇ／ｍ２の紙匹を抄造し、両者を抄き合わせる際に、紙層間に実施例１で製造したスレッドを抄き込んだ。その後、常法に従い乾燥し偽造防止用紙を製造した。得られた偽造防止用紙は、反射光で観察すると、片方の面には青色のマイクロ文字のみが、反対の面では赤色のマイクロ文字のみが見えた。
【実施例４】
【０１０６】〔偽造防止用紙の製造〕
スレッドを実施例２で得られたスレッドに変更した以外は実施例３と同様にして偽造防止用紙を製造した。そのスレッドを紙層間に抄き込んだ直後に紫外蛍光ランプを照射し、スレッドが紫外蛍光発色するか否かでスレッドの表裏を判定し、スレッドが反転していた場合は正常な面が抄き込まれるようにスレッドを挿入し直した。得られた偽造防止用紙は、反射光で観察すると、片方の面には青色のマイクロ文字のみが、反対の面では赤色のマイクロ文字が見えた。
【実施例５】
【０１０７】〔偽造防止印刷物の製造〕
実施例３の偽造防止用紙を使用して、図１８に示す商品券の図柄等印刷部（Ｐ）を印刷し、偽造防止印刷物（２０）を製造した。
【実施例６】
【０１０８】［偽造防止印刷物の製造］
実施例４の偽造防止用紙を使用して、図１８に示す商品券の図柄等印刷部（Ｐ）を印刷し、偽造防止印刷物（２０）を製造した。【０１０９】上記実施例５および実施例６で得られた偽造防止印刷物（２０）を表面から反射光で観察すると、抄き込まれたスレッド（１）の着色された樹脂印刷層（７）が正文字「★ＡＢＣＤ」として視認され、透明基材（２）を透して金属蒸着層（４）が左右逆向きの文字として薄く視認され、裏面から反射光で観察すると、着色された樹脂印刷層（８）が正文字「★ＡＢＣＤ」として視認され、透明基材（２）を透して金属蒸着層（３）が左右逆向きの文字として薄く視認されるもので、本物の偽造防止印刷物（２０）であると判定できるものであった。
【産業上の利用可能性】
【０１１０】  以上のような特性を生かして本発明で得られるスレッドは、その製造に極めて高度の技術が必要なため、偽造防止を目的とした縫い糸の用途等に好適に用いる事ができる。また本発明で得られるスレッドを抄き込んだ偽造防止用紙は、紙幣、商品券、小切手、株券、債券、カード、各種チケット、機密文書、パスポート、身分証明書等に好適に用いる事ができる。【０１１１】  特に、図５に例示したスレッドの構成において、図１１，１２のように、数字を設けたスレッドを用紙に抄き込み、この数字がパスポート冊子のページ数を表示するような使い方をすると、用紙や冊子の製造には極めて高度な技術を必要になるので偽造防止性能が飛躍的に高まることとなる。【０１１２】  また、この数字を商品券の額面と一致させると、一段と偽造防止性能を向上できる。
【図１】
2007007784.tif 000002
【図２】
2007007784.tif 000003
【図３】
2007007784.tif 000004
【図４】
2007007784.tif 000005
【図５】
2007007784.tif 000006
【図６】
2007007784.tif 000007
【図７】
2007007784.tif 000008
【図８】
2007007784.tif 000009
【図９】
2007007784.tif 000010
【図１０】
2007007784.tif 000011
【図１１】
2007007784.tif 000012
【図１２】
2007007784.tif 000013
【図１３】
2007007784.tif 000014
【図１４】
2007007784.tif 000015
【図１５】
2007007784.tif 000016
【図１６】
2007007784.tif 000017
【図１７】
2007007784.tif 000018
【図１８】
2007007784.tif 000019
【国際調査報告】
2007007784.tif 000020
2007007784.tif 000021
2007007784.tif 000022
2007007784.tif 000023